(57)【要約】      （修正有）【課題】ホルダー本体部の引っ張り強度を向上させることができるカニューレホルダーを提供する。【解決手段】面ファスナーのオス部材からなり、一端がカニューレ１の通し孔３に挿入されて折り返されるくくり付け帯２１と、外側に面ファスナーのメス部材からなり前記くくり付け帯と面接合される外布、内部にスポンジシート及び内側に綿布を含む層により形成する。さらに、幅方向の両端側が綿製の布テープと合わせてかがり縫い２されると共に、長さ方向の両端に向かって幅が次第に小さくされ、前記くくり付け帯の幅と同じ幅とされた両端に前記くくり付け帯の他端が縫い付けられるホルダー本体部１２と、を備えて成る。【選択図】図１
0003169173.tif 000002
【実用新案登録請求の範囲】
【請求項１】
面ファスナーのオス部材からなり、一端がカニューレの通し孔に挿入されて折り返されるくくり付け帯と、
外側に面ファスナーのメス部材からなり前記くくり付け帯と面接合される外布、内部にスポンジシート及び内側に綿布を含む層からなり、幅方向の両端側が綿製の布テープと合わせてかがり縫いされると共に、長さ方向の両端に向かって幅が次第に小さくされ、前記くくり付け帯の幅と同じ幅とされた両端に前記くくり付け帯の他端が縫い付けられるホルダー本体部と、
が備えられることを特徴とするカニューレホルダー。
【請求項２】
前記綿製の布テープは、かがり縫いされる際、前記ホルダー本体部の外側面に縫製されることを特徴とする請求項１に記載のカニューレホルダー。
【考案の詳細な説明】
【技術分野】
【０００１】
本考案は、カニューレホルダーに係り、より詳細には、カニューレを首に固定するバンドの引っ張り強度を向上させたカニューレホルダーに関する。
【背景技術】
【０００２】
カニューレは気管切開チューブのことで、カニューレを首に固定するためカニューレホルダーが用いられる。従来のカニューレホルダーの要部を図４に示す。図４に示すように、カニューレホルダーの先端はくくり付け帯１１とホルダー本体部１２からなり、くくり付け帯１１が面ファスナーのオス部材からなり、ホルダー本体部１２は表面が面ファスナーのメス部材である。くくり付け帯１１は、カニューレ１の通し孔３に挿入され、折り返してホルダー本体部１２の表面に面接合される。（特許文献１参照）
【０００３】
図４の点線の円の中に示すように、くくり付け帯１１とホルダー本体部１２は縫い付けにより結合される。ホルダー本体部１２は、例えば特許文献１によれば外側が面ファスナーのメス部材、内側がスポンジシートの２層品からなり、どちらも薄くてやわらかい素材である。一方、くくり付け帯１１は、面ファスナーのオス部材で、樹脂製で折り曲げ可能であるがやや硬い素材である。そのため、カニューレホルダーを首に巻きつける時は、それほど大きな力で締め付けるものではないが、何回も使用していると、図４に示すようにホルダー本体部１２が破断する、あるいは２層の構造がはがれることがあった。
【先行技術文献】
【特許文献】
【０００４】
【特許文献１】米国特許第４３３１１４４号明細書
【考案の概要】
【考案が解決しようとする課題】
【０００５】
本考案の目的は、ホルダー本体部の引っ張り強度を向上させることができるカニューレホルダーを提供することにある。
【課題を解決するための手段】
【０００６】
本考案によるカニューレホルダーは、面ファスナーのオス部材からなり、一端がカニューレの通し孔に挿入されて折り返されるくくり付け帯と、外側に面ファスナーのメス部材からなり前記くくり付け帯と面接合される外布、内部にスポンジシート及び内側に綿布を含む層からなり、幅方向の両端側が綿製の布テープと合わせてかがり縫いされると共に、長さ方向の両端に向かって幅が次第に小さくされ、前記くくり付け帯の幅と同じ幅とされた両端に前記くくり付け帯の他端が縫い付けられるホルダー本体部と、が備えられることを特徴とする。
【０００７】
前記綿製の布テープは、かがり縫いされる際、前記ホルダー本体部の外側面に縫製されることを特徴とする。
【考案の効果】
【０００８】
本考案によるカニューレホルダーによれば、ホルダー本体部の幅方向の両端側を綿製の布テープと合わせてかがり縫いし、またここにくくり付け帯を縫い付けたので、約９０Ｎの引っ張り荷重に耐え、容易に破断が生じないようにできる。かがり縫いは、縁が丸みを帯びるので肌あたりがやわらかくなり、縁からのほつれや層構造のはがれを防ぐとともに、内部のサンドイッチ構造を外側から隠すので高級感が出せる効果もある。かがり縫いで合わせて縫製される綿製の布テープは、ホルダー本体部が容易に伸びないようにできる。また、ホルダー本体部は幅が長さ方向の両端に向かって次第に小さくされ、両端の幅をくくり付け帯の幅と同じにしたので、くくり付け帯の引っ張り荷重はホルダー本体部の幅方向両側の２本の綿製の布テープに分散できる。
【０００９】
綿製の布テープをホルダー本体部の外側面に縫製（ここではかがり縫い）したので、ホルダー本体部の内側面に縫製する場合に比較して、縁部突出による肌ざわりの低下が回避できる。
【図面の簡単な説明】
【００１０】
【図１】本考案によるカニューレホルダーの斜視図である。
【図２】図１に示す第１バンドの斜視図である。
【図３】図２のＡ−Ａ断面図である。
【図４】従来のカニューレホルダーの斜視図である。
【考案を実施するための形態】
【００１１】
以下、図面を参照して、本考案によるカニューレホルダーを説明する。
【実施例】
【００１２】
図１は、本考案によるカニューレホルダー１００の斜視図である。図１でカニューレ１は、両側に通し孔３が設けられた気管チューブである。これを患者の気管に挿入し、患者の首に固定するのがカニューレホルダー１００である。カニューレホルダー１００は、単一のバンドからなるものと２つのバンドからなるものとがある。本実施例では、２つのバンドからなるもので説明する。図１に示すように、第１バンド１０と第２バンド２０の２つがあり着脱可能に連結される。
【００１３】
第１バンド１０は、くくり付け帯１１とホルダー本体部１２とゴム帯１３と連結部１４とからなる。くくり付け帯１１は、一端がカニューレ１の一方の通し孔３に挿入されて折り返され、他端がホルダー本体部１２に縫い付けられる。そのため、折り返される程度には曲げることができ、通し孔３を通せる程度には細くて硬い樹脂製である。くくり付け帯１１は、一方の面に多数の鉤状のフックが設けられた面ファスナーのオス部材である。ホルダー本体部１２は、やわらかい素材からなり、外側はフックに絡みつく多数のループ状の繊維が設けられた面ファスナーのメス部材からなる。ここに折り返されたくくり付け帯１１がホルダー本体部１２に面接合される。ホルダー本体部１２は、幅方向の両端側がかがり縫い（符号２で示す）される。ゴム帯１３は一端がホルダー本体部１２に取り付けられる。これによりカニューレホルダー１００が患者の首に取り付けられた場合、適度の締め具合に保持できる。ゴム帯１３の他端には、面ファスナーのオス部材からなる連結部１４が取り付けられる。連結部１４は、第２バンド２０のホルダー本体部２２の外側に面接合される。
【００１４】
第２バンド２０はくくり付け帯２１とホルダー本体部２２からなる。くくり付け帯２１は、一端がカニューレ１の他方の通し孔３に挿入されて折り返され、他端がホルダー本体部２２に縫い付けられる。くくり付け帯２１は、一方の面に多数の鉤状のフックが設けられた面ファスナーのオス部材である。ホルダー本体部２２はやわらかい素材からなり、外側はフックに絡みつく多数のループ状の繊維が設けられた面ファスナーのメス部材からなる。ここに折り返されたくくり付け帯２１がホルダー本体部２２に面接合される。ホルダー本体部２２は幅方向の両端側が、かがり縫いされる。第１バンド１０と第２バンド２０は、連結部１４によって着脱可能に連結される。
【００１５】
図２は、図１に示す第１バンド１０の斜視図である。ホルダー本体部１２は、幅が長さ方向に次第に小さくされ、一端の幅がくくり付け帯１１の幅と同じにされる。図示はしないが同様に、ホルダー本体部２２も幅が長さ方向に次第に小さくされ、一端の幅がくくり付け帯２１の幅と同じにされる。
【００１６】
図３は、図２のＡ−Ａ断面図である。ホルダー本体部１２は、外側から内側に向けて、面ファスナーのメス部材からなる外布５とスポンジシート６と綿布７の３層からなる。３層に限らず層数をさらに増やしてもよい。綿布７は、目が粗く通気性があり、肌さわりがよいものとした。幅方向の両端側は、綿製の布テープ４と合わせてかがり縫い２が行なわれる。この綿製の布テープ４は、目が細かく強度があり伸びないものを使用した。図２に示すように、ホルダー本体部１２にくくり付け帯１１が縫い付けられると、くくり付け帯１１は２本の綿製の布テープ４と結合される。すなわち、くくり付け帯１１が引っ張られても、その力が２本の綿製の布テープ４に分散できる。ホルダー本体部２２もホルダー本体部１２と同様である。なお、かがり縫い２は、ホルダー本体部１２、２２の幅方向の両端側以外の部分（例えばゴム帯１３の縫い付け部分の端）に行なってもよい。また、綿製の布テープに替えて熱圧着テープを使用してもよい。
【産業上の利用可能性】
【００１７】
本考案は、引っ張り強度を有するカニューレホルダーとして適している。
【符号の説明】
【００１８】
１    カニューレ
２    かがり縫い
３    通し孔
４    綿製の布テープ
５    外布
６    スポンジシート
７    綿布
１０    第１バンド
１１    くくり付け帯
１２    ホルダー本体部
１３    ゴム帯
１４    連結部
２０    第２バンド
２１    くくり付け帯
２２    ホルダー本体部
１００    カニューレホルダー
【図１】
0003169173.tif 000003
【図２】
0003169173.tif 000004
【図３】
0003169173.tif 000005
【図４】
0003169173.tif 000006